(57)【要約】【課題】本発明はノートパソコンの使用中でもキーボード部の上部で筆記作業を行なうことができるテーブル機能とフィルター機能、テーブル機能と書見台機能、テーブル機能とフィルター機能と書見台機能を有するノートパソコン用筆記テーブルを得るにある。【解決手段】ノートパソコンのディスプレイを覆うフィルター機能および、該ノートパソコンの本体のキーボード部を覆い、筆記することができるテーブル機能を有する硬質材製のテーブル本体と、このテーブル本体の左右の上端に取付けられた、該フィルター本体を前記ディスプレイを覆うように支持するとともに、キーボード部の前部に支持される支持片とでノートパソコン用筆記テーブルを構成している。【選択図】  図１
2005014212.tif 000002
【特許請求の範囲】
【請求項１】
ノートパソコンのディスプレイを覆うフィルター機能および、該ノートパソコンの本体のキーボード部を覆い、筆記することができるテーブル機能を有する硬質材製のテーブル本体と、このテーブル本体の左右の上端に取付けられた、該フィルター本体を前記ティスプレイを覆うように支持するとともに、キーボード部の前部に支持される支持片とからなることを特徴とするノートパソコン用筆記テーブル。
【請求項２】
ノートパソコンのディスプレイを覆ってフィルターとして使用することができるとともに、該ノートパソコンの本体のキーボード部を覆って筆記テーブルとして使用することができる硬質材製のテーブル本体と、前記ノートパソコンのディスプレイあるいは本体に着脱可能に取付けられる取付具と、この取付具に一端部が取付けられ、他端部が前記テーブル本体の一端部に取付けられた該テーブル本体を前記ディスプレイを覆う部位あるいはキーボード部を覆う部位に回動位置させることができる接続支持具とからなることを特徴とするノートパソコン用筆記テーブル。
【請求項３】
ノートパソコンの本体のキーボード部を覆うとともに、書類を支持する書見台として使用することができる硬質材製のテーブル本体と、前記ノートパソコンのディスプレイあるいは本体に着脱可能に取付けられる取付具と、この取付具に一端部が取付けられ、他端部が前記テーブル本体の一端部に取付けられた、該テーブル本体を前記キーボード部を覆う部位あるいは前記本体の一端部寄りの書見台として使用できる部位に回動位置させることができる接続支持具とからなることを特徴とするノートパソコン用筆記テーブル。
【請求項４】
ノートパソコンのディスプレイを覆って、フィルターとしての使用、該ノートパソコンの本体のキーボード部を覆って筆記テーブルとしての使用および書類を支持する書見台として使用することができる硬質材製のテーブル本体と、前記ノートパソコンのディスプレイあるいは本体に着脱可能に取付けられる取付具と、この取付具に一端部が取付けられ、他端部が前記テーブル本体の一端部に取付けられた、該テーブル本体を前記ディスプレイを覆う部位、本体のキーボード部を覆う部位あるいは前記本体の一端部寄りの書見台として使用できる部位に回動位置させることができる接続支持具とからなることを特徴とするノートパソコン用筆記テーブル。
【発明の詳細な説明】
【０００１】
【発明の属する技術分野】
本発明はノートパソコンに取付けて使用することができるノートパソコン用筆記テーブルに関する。
【０００２】
【従来の技術】
従来、ノートパソコンのディスプレイにフィルターを取付けたり、該フィルターと書見台が兼用するものが考えられている。
【０００３】
【発明が解決しようとする課題】
従来のノートパソコンの使用中に、メモや文章を書く作業を行なう場合、一般的にノートパソコンの周囲に筆記可能なスペースがないケースが多く、ノートパソコンを移動させて、筆記スペースを作ってから筆記作業をしなければならず、その作業が大変で、面倒であるという欠点があった。
【０００４】
本発明は以上のような従来の欠点に鑑み、ノートパソコンの使用中でもキーボード部の上部で筆記作業を行なうことができるテーブル機能とフィルター機能、テーブル機能と書見台機能、テーブル機能とフィルター機能と書見台機能を有するノートパソコン用筆記テーブルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はノートパソコンのディスプレイを覆うフィルター機能および、該ノートパソコンの本体のキーボード部を覆い、筆記することができるテーブル機能を有する硬質材製のテーブル本体と、このテーブル本体の左右の上端に取付けられた、該フィルター本体を前記ディスプレイを覆うように支持するとともに、キーボード部の前部に支持される支持片とでノートパソコン用筆記テーブルを構成している。
【０００７】
【発明の実施の形態】
以下、図面に示す実施の形態により、本発明を詳細に説明する。
【０００８】
図１ないし図５に示す本発明の第１の実施の形態において、１はノートパソコン２に取付けて使用することができる本発明のノートパソコン用筆記テーブルで、このノートパソコン用筆記テーブル１は前記ノートパソコン２のディスプレイ３を覆ってフィルターとして使用することができるとともに、該ノートパソコン２の本体４のキーボード部５を覆って筆記テーブルとして使用することができる透明あるいは半透明の硬質材製のテーブル本体６と、前記ノートパソコン２のディスプレイ３に着脱可能に取付けられる取付具７と、この取付具７に一端部が取付けられ、他端部が前記テーブル本体６の一端部に取付けられた、該テーブル本体６を前記ディスプレイ３を覆う部位あるいは前記キーボード部５を覆う部位に回動位置させることができる接続支持具８とで構成されている。
【０００９】
前記テーブル本体６は図３に示すように、一端部に軸受孔９が形成された取付部１０と、前後左右の底面で前記キーボード部５のキーボードと接触することなく本体４の上面に支持させることができる脚部材１１、１１、１１、１１とで構成されている。
【００１０】
前記取付具７は図４に示すように棒状の取付具本体１２と、この取付具本体１２の上部に外方へ突出し、前記ディスプレイ３のケース体３ａを挟着する挟着片１３、１３とで構成されている。
【００１１】
前記接続支持具８は図５に示すように、前記テーブル本体６の軸受孔９に挿入された軸１４と、この軸１４の後端部に螺合固定された支持片１５と、この支持片１５を前記取付具本体１２の下部寄りの部位に、前記テーブル本体６を上下方向へ回動できるように枢支する枢支ピン１６とで構成されている。
【００１２】
上記構成のノートパソコン用筆記テーブル１はテーブル本体６、接続支持具８および取付具７が取付けられている。
このため、使用時にはノートパソコン２のディスプレイ３を開放し、該ディスプレイ３のケース体３ａに取付具７の挟着片１３、１３を挟着固定する。
この状態でフィルターとして使用する場合には、図２に示すようにテーブル本体６でディスプレイ３を覆うように位置させる。
【００１３】
使用中に筆記作業が生じた場合には、図１に示すようにテーブル本体６をノートパソコン２の本体４のキーボード部５を覆うように接続支持具８の枢支ピン１６を支点に回動させて位置させ、この状態でテーブル本体６に用紙等を位置させて筆記作業を行なう。
このテーブル本体６上での筆記作業を行なっても、脚部材１１、１１、１１、１１によってキーボードが操作されるのを防止している。
【００１４】
【発明の異なる実施の形態】
次に、図６ないし図１９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図６ないし図８に示す本発明の第２の実施の形態において、前記本発明の第１の実施の形態と主に異なる点は、底面へ突出する取付部１７を形成するとともに、他端部の底面にクリップ１８を設けたテーブル本体６Ａと、取付具本体１２の下部に水平方向に回動可能に枢支ピン１９で枢支された回動体２０、この回動体２０にビス２１によって固定的に取付けられた軸１４が固定された支持片１５とからなる接続支持具８Ａと、取付具本体１２にテーブル本体６Ａを支持する支持片２２を一体あるいは固定的に取付けた点で、このように構成されたノートパソコン用筆記テーブル１Ａは、テーブルとして使用することができるとともに、テーブル本体６Ａを軸１４を支点に回動させるとともに、回動体２０を回動させてテーブル本体６Ａが外方へ位置するように水平方向に回動させ、取付け具本体１２の支持片２２にテーブル本体６Ａを当接させることにより、書見台として使用することができる。
【００１６】
図９ないし図１２に示す本発明の第３の実施の形態において、前記本発明の第２の実施の形態と主に異なる点は、回動体２０に枢支ピン２３によって垂直方向に回動可能に支持片２２Ａを取付けた接続支持具８Ｂを用いた点で、このような接続支持具８Ｂを用いて構成したノートパソコン用筆記テーブル１Ｂにすることにより、前記本発明の第２の実施の形態と同様な作用効果が得られるとともに、ディスプレイ３を覆うように位置させて、フィルターとしても使用することができる。
また、不使用時にはテーブル本体６Ａをディスプレイ３の背面に位置できる。
【００１７】
図１３ないし図１５に示す本発明の第４の実施の形態において、前記本発明の第１の実施の形態と主に異なる点は、テーブル本体６の左右の上端部にコ字状のディスプレイ３のケース体３ａの左右端部に係止することができるとともに、本体４のキーボード部５と接触しない部位に取付けられた係止片２４、２４を設けた点で、このように構成したノートパソコン用筆記テーブル１Ｃにしても、前記本発明の第１の実施の形態と同様な作用効果が得られる。
【００１８】
図１６ないし図１９に示す本発明の第５の実施の形態において、前記本発明の第４の実施の形態と主に異なる点は、一端部に支持台２５を形成し、他端部にクリップ１８が設けられたテーブル本体６Ｂと、このテーブル本体６Ｂの上端部に一端部がクリップ２６によって着脱可能に取付けられるとともに、他端部がディスプレイ３のケース体３ａにクリップ２７によって着脱可能に取付けることができる接続支持具８Ｃ、８Ｃを用いた点で、このような接続支持具８Ｃ、８Ｃを用いたノートパソコン用筆記テーブル１Ｄにしても、前記本発明の第４の実施の形態と同様な作用効果が得られるとともに、接続支持具８Ｃ、８Ｃで書見台として使用することができる。
【００１９】
なお、前記本発明の各実施の形態では取付具として挟着片１３、１３を用いたものについて説明したが、本発明はこれに限らず、各種のクリップやコ字状の一辺にボルトを螺合させた取付具を用いてもよい。
【００２０】
【発明の効果】
以上の説明から明らかなように、本発明にあっては次に列挙する効果が得られる。
【００２１】
（１）ノートパソコンのディスプレイを覆うフィルター機能および、該ノートパソコンの本体のキーボード部を覆い、筆記することができるテーブル機能を有する硬質材製のテーブル本体と、このテーブル本体の左右の上端に取付けられた、該フィルター本体を前記ティスプレイを覆うように支持するとともに、キーボード部の前部に支持される支持片とで構成されているので、テーブル本体をキーボード部を覆うように位置させることにより、キーボード上で筆記作業を行なうことができるとともに、テーブル本体をディスプレイを覆うように位置させることにより、フィルターとして使用することができる。
【００２２】
（２）前記（１）によってテーブル本体と支持片で構成されているので、構造が簡単で、容易に使用することができるとともに、安価に製造することができる。
【００２３】
（３）前記（１）によって、ノートパソコンの使用中でも、キーボード上にテーブル本体を位置させて筆記作業ができ、筆記場所がない所でも容易に筆記作業を行なうことができる。
【００２４】
（４）請求項２も前記（１）〜（３）と同様な効果が得られる。
【００２５】
（５）請求項３はテーブルとしての使用と、所見台としての使用ができる。
【００２６】
（６）請求項４は前記（１）〜（３）と同様な効果が得られるとともに、書見台としても使用することができる。
【図面の簡単な説明】
【図１】本発明の第１の実施の形態のテーブルとしての使用説明図。
【図２】本発明の第１の実施の形態のフィルターとしての使用説明図。
【図３】本発明の第１の実施の形態のテーブル本体の説明図。
【図４】本発明の第１の実施の形態の取付具の説明図。
【図５】本発明の第１の実施の形態の接続支持具の説明図。
【図６】本発明の第２の実施の形態のテーブルとしての使用説明図。
【図７】本発明の第２の実施の形態の書見台としての使用説明図。
【図８】本発明の第２の実施の形態の接続支持具の説明図。
【図９】本発明の第３の実施の形態のテーブルとしての使用説明図。
【図１０】本発明の第３の実施の形態のフィルターとしての使用説明図。
【図１１】本発明の第３の実施の形態の書見台としての使用説明図。
【図１２】本発明の第３の実施の形態の接続支持具の説明図。
【図１３】本発明の第４の実施の形態のテーブルとしての使用説明図。
【図１４】本発明の第４の実施の形態のフィルターとしての使用説明図。
【図１５】本発明の第４の実施の形態の説明図。
【図１６】本発明の第５の実施の形態のテーブルとしての使用説明図。
【図１７】本発明の第５の実施の形態のフィルターとしての使用説明図。
【図１８】本発明の第５の実施の形態の書見台としての使用説明図。
【図１９】本発明の第５の実施の形態の接続支持具の説明図。
【符号の説明】
１、１Ａ、１Ｂ、１Ｃ、１Ｄ：ノートパソコン用筆記テーブル、
２：ノートパソコン、    ３：ディスプレイ、
４：本体、              ５：キーボード部、
６、６Ａ、６Ｂ：テーブル本体、
７：取付具、
８、８Ａ、８Ｂ、８Ｃ：接続支持具、
９：軸受孔、            １０：取付部、
１１：脚部材、          １２：取付具本体、
１３：挟着片、          １４：軸、
１５：支持片、          １６：枢支ピン、
１７：取付部、          １８：クリップ、
１９：枢支ピン、        ２０：回動体、
２１：ビス、            ２２、２２Ａ：支持片、
２３：枢支ピン、        ２４：係止片、
２５：支持台、          ２６：クリップ、
２７：クリップ。
【図１】
2005014212.tif 000003
【図２】
2005014212.tif 000004
【図３】
2005014212.tif 000005
【図４】
2005014212.tif 000006
【図５】
2005014212.tif 000007
【図６】
2005014212.tif 000008
【図７】
2005014212.tif 000009
【図８】
2005014212.tif 000010
【図９】
2005014212.tif 000011
【図１０】
2005014212.tif 000012
【図１１】
2005014212.tif 000013
【図１２】
2005014212.tif 000014
【図１３】
2005014212.tif 000015
【図１４】
2005014212.tif 000016
【図１５】
2005014212.tif 000017
【図１６】
2005014212.tif 000018
【図１７】
2005014212.tif 000019
【図１８】
2005014212.tif 000020
【図１９】
2005014212.tif 000021